(57)【特許請求の範囲】
【請求項１】
管理人室などに設置される警報監視盤と、各住戸に設置されたインターホン親機と、共同玄関などに設置されるロビーインターホンとを備えるインターホンシステムに、電気錠制御システムを組み合わせて構成された電気錠制御機能付きインターホンシステムであって、
本システムとは別のシステムでの用途のために準備された汎用記録媒体に記録された来訪者の識別情報を読み取る読取手段と、
前記読取手段で読み取られた前記来訪者の識別情報を登録する識別情報登録手段と、
来訪者登録モードを実行して、前記読取手段で読み取られた前記来訪者の識別情報を前記識別情報登録手段に登録させる来訪者登録モード実行手段と、
前記読取手段によって、前記汎用記録媒体に記録された前記来訪者の識別情報が読み取られる毎に、前記識別情報登録手段を参照し、その登録が確認されたときには、電気錠を解錠させる電気錠解錠手段と、
前記電気錠解錠手段が前記電気錠を解錠させた対象となる前記来訪者の識別情報毎に、解錠回数を計数する計数手段を備えており、前記解錠回数が、予め設定された有効解錠回数に達したときには、前記識別情報登録手段に登録している該来訪者の識別情報を無効にする識別情報無効処理手段と、を備え、
前記警報監視盤には、前記識別情報登録手段、前記識別情報無効処理手段が設けられており、
前記ロビーインターホンには、前記読取手段、前記来訪者登録モード実行手段、および、前記電気錠解錠手段が設けられており、
前記インターホン親機は、所定の操作がなされると、来訪者登録モード許可を前記ロビーインターホンに通知して、来訪者登録モードを実行させることを特徴とする、電気錠制御機能付きインターホンシステム。
【請求項２】
管理人室などに設置される警報監視盤と、各住戸に設置されたインターホン親機と、共同玄関などに設置されるロビーインターホンとを備えるインターホンシステムに、電気錠制御システムを組み合わせて構成された電気錠制御機能付きインターホンシステムであって、
本システムとは別のシステムでの用途のために準備された汎用記録媒体に記録された来訪者の識別情報を読み取る読取手段と、
前記読取手段で読み取られた前記来訪者の識別情報を登録する識別情報登録手段と、
来訪者登録モードを実行して、前記読取手段で読み取られた前記来訪者の識別情報を前記識別情報登録手段に登録させる来訪者登録モード実行手段と、
前記読取手段によって、前記汎用記録媒体に記録された前記来訪者の識別情報が読み取られる毎に、前記識別情報登録手段を参照し、その登録が確認されたときには、電気錠を解錠させる電気錠解錠手段と、
前記来訪者の識別情報毎に、前記識別情報登録手段に登録してから経過した経過時間を計時する計時手段を備えており、前記経過時間が、予め設定された認証有効時間に達したときには、前記識別情報登録手段に登録している該来訪者の識別情報を無効にする識別情報無効処理手段と、を備え、
前記警報監視盤には、前記識別情報登録手段、前記識別情報無効処理手段が設けられており、
前記ロビーインターホンには、前記読取手段、前記来訪者登録モード実行手段、および、前記電気錠解錠手段が設けられており、
前記インターホン親機は、所定の操作がなされると、来訪者登録モード許可を前記ロビーインターホンに通知して、来訪者登録モードを実行させることを特徴とする、電気錠制御機能付きインターホンシステム。
【発明の詳細な説明】
【技術分野】
【０００１】
本発明は、電気錠制御システム、電気錠制御機能付きインターホンシステムに関し、詳しくは、回数限定あるいは時間限定で、来訪者の識別情報が記録された汎用記録媒体を認証して電気錠を解錠する構成の電気錠制御システム、電気錠制御機能付きインターホンシステムに関する。
【背景技術】
【０００２】
近時においては、記録媒体を読み取って認証した後、電気錠を解錠させる機能を備えた電気錠制御システムが広く使用されている。この種の電気錠制御システムは、特許文献１を例にとると、予め、住人によって所有され、ＩＤコードが記録されたＩＤカードを、カードリーダに読み取らせることにより、予め登録されているＩＤカードと照合し、認証できたときには、玄関に設けられた電気錠を解錠させるようにしている。
【０００３】
そのために、宅配業者などの来訪者は、宅配先の住戸を呼び出し、住人と通話して、住人に対して、不審者ではないことを確認させ、その後、解錠ボタンを操作させてから、電気錠を解錠させているので、住人、来訪者双方にとって、使い勝手が悪いものとなっている点が現状である。
【０００４】
そのため、特に、この種の電気錠制御システムが、集合住宅の共同玄関に設けられた電気錠を制御するために設けられている場合には、宅配業者などの来訪者は、住人に共同玄関に設けられた電気錠を解錠してもらって共同玄関内に入場できても、忘れ物があることに気づいたときなど、共同玄関外に出て、その後、再度共同玄関内に入場したい場合には、再度住人を呼び出して電気錠を解錠してもらう必要があり、住人、来訪者双方にとって、特に使い勝手が悪く、不便であった。
【０００５】
また、特許文献２を例にとると、予め来訪者に配布され、来訪者の識別情報が記録されたＩＣカードを、共用玄関に設けられた読取装置が読み取って、ＩＣカードに記録された来訪者の識別情報を認証した後に、共用玄関に設けられた電気錠を解錠するようにしている。
【特許文献１】特開平０６−２８０４２９号公報
【特許文献２】特開２００４−１８０１４０号公報
【発明の開示】
【発明が解決しようとする課題】
【０００６】
しかしながら、前記した従来技術では、宅配業者などの来訪者は、宅配先の住戸を呼び出し、住人と通話して、住人に対して宅配業者自身の来訪だということを確認させ、解錠ボタンを操作させて、共同玄関に設けられた電気錠を解錠させているので、来訪者、住人の双方にとって、使い勝手が悪かった。
【０００７】
特に、複数の棟で構成されている大型の集合住宅においては、各棟を訪問する毎に、各棟の住人と通話して、不審者でないことを確認してもらった後に、その棟の共同玄関に設けられた電気錠を解錠してもらう必要があり、来訪者にとっては、この上なく使い勝手が悪いものと思われる。
【０００８】
また、予め来訪者用のＩＣカードを予め配布しておき、これを認証するようにした場合には、そのＩＣカードが不審者に渡って悪用される、そのＩＣカードが回数制限、時間制限がないため、来訪者自身によって悪用されるといったセキュリティ上の問題が生じてしまう。特に、回数制限、時間制限のないＩＣカードが不審者に渡った場合には、セキュリティ上の問題が一層生じてしまう。
【０００９】
このようなセキュリティ上の問題を解消するためには、来訪者には、有効回数、有効時間を更に記録したＩＣカードを予め配布しておくなどして、来訪者が所有するＩＣカードが一定回数認証されたとき、あるいは、来訪者が所有するＩＣカードが発行されてから一定時間が経過したときには、そのＩＣカードを認証しないようにすることも考えられるが、そのようにした場合には、来訪者毎に、ＩＣカードを作成して配布しておく必要があるため、コストがかかってしまう。また、来訪者に配布されたＩＣカードは、有効回数、有効時間を経過したら、廃棄されてしまうので、環境保護対策上、問題となってしまう。
【００１０】
本発明は、このような事情を考慮して提案されるものであり、来訪者が所持している汎用記録媒体を有効利用して、一定回数あるいは一定時間の間は、汎用記録媒体を認証して電気錠を解錠できるようにして、セキュリティを確保させながら、来訪者、住人双方にとって使い勝手がよく、コスト、資源の無駄を生じさせない電気錠制御システム、および、このような電気錠制御システムを組み込んで構成された電気錠制御機能付きインターホンシステムを提供することを目的とする。
【課題を解決するための手段】
【００１１】
前記目的を達成するために、請求項１に記載の電気錠制御機能付きインターホンシステムは、管理人室などに設置される警報監視盤と、各住戸に設置されたインターホン親機と、共同玄関などに設置されるロビーインターホンとを備えるインターホンシステムに、電気錠制御システムを組み合わせて構成された電気錠制御機能付きインターホンシステムであって、本システムとは別のシステムでの用途のために準備された汎用記録媒体に記録された来訪者の識別情報を読み取る読取手段と、前記読取手段で読み取られた前記来訪者の識別情報を登録する識別情報登録手段と、来訪者登録モードを実行して、前記読取手段で読み取られた前記来訪者の識別情報を前記識別情報登録手段に登録させる来訪者登録モード実行手段と、前記読取手段によって、前記汎用記録媒体に記録された前記来訪者の識別情報が読み取られる毎に、前記識別情報登録手段を参照し、その登録が確認されたときには、電気錠を解錠させる電気錠解錠手段と、前記電気錠解錠手段が前記電気錠を解錠させた対象となる前記来訪者の識別情報毎に、解錠回数を計数する計数手段を備えており、前記解錠回数が、予め設定された有効解錠回数に達したときには、前記識別情報登録手段に登録している該来訪者の識別情報を無効にする識別情報無効処理手段と、を備え、前記警報監視盤には、前記識別情報登録手段、前記識別情報無効処理手段が設けられており、前記ロビーインターホンには、前記読取手段、前記来訪者登録モード実行手段、および、前記電気錠解錠手段が設けられており、前記インターホン親機は、所定の操作がなされると、来訪者登録モード許可を前記ロビーインターホンに通知して、来訪者登録モードを実行させることを特徴とする。
【００１２】
ここに、本明細書で用いる用語「汎用記録媒体」は、集合住宅、戸建住宅の住人、テナントなどの建物使用者が、電気錠を解錠させる目的で所持しているカードキーなどの記録媒体ではなく、来訪者が通常所持していると考えられる社員証、会員証など、来訪者の識別情報が記録されたカードを意味しており、社員証、会員証の他には、銀行のキャッシュカード、クレジットカード、ＳＵＩＣＡ（登録商標）、ＩＣＯＣＡ（登録商標）、ＰＩＴＡＰＡ(登録商標)、携帯電話端末に搭載されたＦＥＬＩＣＡ（登録商標）など、一般に流通している記録媒体が考えられる。
【００１３】
請求項２に記載の電気錠制御機能付きインターホンシステムは、管理人室などに設置される警報監視盤と、各住戸に設置されたインターホン親機と、共同玄関などに設置されるロビーインターホンとを備えるインターホンシステムに、電気錠制御システムを組み合わせて構成された電気錠制御機能付きインターホンシステムであって、本システムとは別のシステムでの用途のために準備された汎用記録媒体に記録された来訪者の識別情報を読み取る読取手段と、前記読取手段で読み取られた前記来訪者の識別情報を登録する識別情報登録手段と、来訪者登録モードを実行して、前記読取手段で読み取られた前記来訪者の識別情報を前記識別情報登録手段に登録させる来訪者登録モード実行手段と、前記読取手段によって、前記汎用記録媒体に記録された前記来訪者の識別情報が読み取られる毎に、前記識別情報登録手段を参照し、その登録が確認されたときには、電気錠を解錠させる電気錠解錠手段と、前記来訪者の識別情報毎に、前記識別情報登録手段に登録してから経過した経過時間を計時する計時手段を備えており、前記経過時間が、予め設定された認証有効時間に達したときには、前記識別情報登録手段に登録している該来訪者の識別情報を無効にする識別情報無効処理手段と、を備え、前記警報監視盤には、前記識別情報登録手段、前記識別情報無効処理手段が設けられており、前記ロビーインターホンには、前記読取手段、前記来訪者登録モード実行手段、および、前記電気錠解錠手段が設けられており、前記インターホン親機は、所定の操作がなされると、来訪者登録モード許可を前記ロビーインターホンに通知して、来訪者登録モードを実行させることを特徴とする。
【発明の効果】
【００１７】
請求項１に記載の電気錠制御機能付きインターホンシステムによれば、識別情報登録手段は、来訪者登録モードを実行して、来訪者によって通常所有される汎用記録媒体を読取手段で読み取らせ、読み取らせた来訪者の識別情報を登録しておき、その後、識別情報無効処理手段は、来訪者別に、電気錠解錠手段によって解錠される毎に、解錠回数を計数しておき、予め設定された有効解錠回数に達したときには、その来訪者の識別情報を無効にする。
【００１８】
そのため、来訪者別に、予め、解錠専用の記録媒体を製造、配布することなく、来訪者が通常所有しているＩＤカード、非接触型のＩＣタグが内蔵されたＩＣカードなどの汎用記録媒体に記録された来訪者の識別情報を登録すれば、その後、有効解錠回数に達するまでは、何度でも同一の汎用記録媒体を使用して電気錠を解錠させることができるので、セキュリティを確保させながら、来訪者、住人双方にとって使い勝手がよく、コスト、資源の無駄を生じさせない電気錠制御システムを提供できる。
【００１９】
請求項２に記載の電気錠制御機能付きインターホンシステムによれば、来訪者別に、予め解錠専用の記録媒体を製造、配布することなく、先述したような汎用記録媒体に記録された来訪者の識別情報を登録すれば、その後、認証有効時間に達するまでは、何度でも同一の汎用記録媒体を使用して電気錠を解錠させることができるので、セキュリティを確保させながら、来訪者、住人双方にとって使い勝手がよく、コスト、資源の無駄を生じさせない電気錠制御システムを提供できる。
【発明を実施するための最良の形態】
【００２８】
以下、本発明の実施の形態について、図面とともに説明する。
図１は、本発明の要部をなす電気錠制御システムの概略構成を示すシステム系統図である。なお、このような構成の電気錠制御システムＳ１の具体的な構成、制御処理の詳細は後述する。
【００２９】
このような電気錠制御システムＳ１は、携帯可能な汎用記録媒体に記録された識別情報を読み取るＩＤ読取装置３で構成される読取手段Ａ、ＲＡＭなどの公知の書き込み可能な汎用記録媒体で構成され、読取手段Ａによって読み取られた識別情報を登録する識別情報登録テーブルを有した識別情報登録手段Ｂを備えているＩＤ登録記憶装置１１、後述する来訪者登録モードＭ１または来訪者登録モードＭ２を実行して、読取手段Ａで読み取られた来訪者の識別情報を識別情報登録手段Ｂに登録させる来訪者登録モード実行手段Ｃ、読取手段Ａによって、汎用記録媒体に記録された来訪者の識別情報が読み取られる毎に、識別情報登録手段Ｂを参照し、その登録が確認されたときには、電気錠１０に電気錠駆動信号を送出して、電気錠１０を解錠させる電気錠解錠手段Ｄ、識別情報無効処理手段Ｇ（１１）を備えており、これらは、各々、伝送ライン、バスなどの接続手段を用いて、図示するように接続されている。
【００３０】
以下、識別情報登録テーブルの一例として、ＩＤ登録テーブルを例示することにする。
【００３１】
読取手段Ａを構成するＩＤ読取装置３は、来訪者によって通常所持され、来訪者の識別情報が記録された汎用記録媒体を読み取って、来訪者の識別情報を読み取る。ＩＤ読取装置３は、例えば、汎用記録媒体の１つである、非接触型のＩＣタグが内蔵されたＩＤカードから、来訪者の識別情報として、来訪者のＩＤコードを読み取る。
【００３２】
以下、来訪者の識別情報の一例として、ＩＤコードを例示することにする。
【００３３】
ここに、来訪者が所持している汎用記録媒体は、集合住宅、戸建住宅の住人、テナントなどの建物使用者が、電気錠を解錠させる目的で所持しているカードキーなどの記録媒体ではなく、来訪者が一般に所持していると考えられる、社員証、会員証などのＩＤカードなどを意味する。
【００３４】
識別情報登録手段Ｂを備えているＩＤ登録記憶装置Ｂでは、識別情報登録手段Ｂは、ＲＡＭなど、公知の書き込み可能な記憶媒体で構成されており、電気錠１０を解錠させるためのＩＤコードが登録されている。
【００３５】
来訪者登録モード実行手段Ｃは、後述する制御信号の入力があったときには、読取手段Ａに対して、後述する来訪者登録モードＭ１、Ｍ２を実行させ、後述するような制御処理を経て、読取手段Ａによって、来訪者が所有する汎用記録媒体に記録された来訪者のＩＤコードを読み取らせ、読み取らせた来訪者のＩＤコードを、ＩＤ登録記憶装置１１の識別情報登録手段Ｂに登録させる。
【００３６】
電気錠解錠手段Ｄは、読取手段Ａで読み取られた来訪者のＩＤコードが読み取られたときには、ＩＤ登録記憶装置１１が備えている識別情報登録手段Ｂをアクセスして、識別情報登録手段Ｂに登録されているＩＤコードと照合し、一致したときには、電気錠制御装置５に電気錠解錠信号を送出する一方、一致しなかったときには、公知のエラー報知を行うＩＤ照合解錠装置４と、ＩＤ照合解錠装置４から送出されてくる電気錠解錠信号を受け付けて、電気錠１０に対して電気錠駆動信号を送出して、電気錠１０を解錠させる電気錠制御装置５と、を備えて構成されている。
【００３７】
識別情報無効処理手段Ｇを構成するＩＤ無効処理装置１２は、電気錠解錠手段Ｄが電気錠１０を解錠させた対象となる来訪者のＩＤコード毎に、電気錠１０の解錠回数を計数する計数手段Ｅと、識別情報登録手段Ｂに来訪者のＩＤコードが登録される毎に、登録されてから経過した経過時間を計時する計時手段Ｆと、を備えて構成されている。
【００３８】
このような構成の識別情報無効処理手段Ｇ（１２）は、計数手段Ｅが、来訪者のＩＤコード別に計数した解錠回数が、予め設定された有効解錠回数に達したときには、識別情報登録手段Ｂに登録している該来訪者のＩＤコードを無効にする。また、計時手段Ｆが、来訪者のＩＤコード別に計時した、識別情報登録手段Ｂに登録してから経過した経過時間が、予め設定された認証有効時間に達したときには、識別情報登録手段Ｂに登録している該来訪者のＩＤコードを無効にする。
【００３９】
このような構成の電気錠制御システムＳ１は、図１に示す（１）、（２）のステップを経て、来訪者のＩＤコードを登録する来訪者登録モードＭ１を実行する。すなわち、（１）来訪者登録モード実行手段Ｃは、読取手段Ａに制御信号を送出して来訪者登録モードを実行させる。（２）読取手段Ａは、来訪者登録モードを実行して、来訪者の所持する汎用記録媒体に記録された来訪者のＩＤコードを読み取り、読み取った来訪者のＩＤコードをＩＤ登録記憶装置１１に送出して、識別情報登録手段Ｂに登録させる。
【００４０】
また、電気錠制御システムＳ１は、図１に示す（１）〜（３）のステップを経て、先述した来訪者登録モードＭ１とは異なる来訪者登録モードＭ２を実行する。すなわち、先述した（１）、（２）のステップを経た後には、（３）ＩＤ登録記憶装置１１は、読取手段Ａから送出された来訪者のＩＤコードを登録したことを通知するためのＩＤ登録済み通知を、登録済みのＩＤコードとともに、識別情報無効処理手段Ｇ（１２）に送出する。識別情報無効処理手段Ｇ（１２）は、ＩＤ登録記憶装置１１から、登録済みのＩＤコードとともにＩＤ登録済み通知が送出されてきたときには、ＩＤ登録済み通知が送出されてきた時刻を記憶し、計時手段Ｆによって、その後経過した経過時間の計時を開始させる。
【００４１】
そして、電気錠制御システムＳ１は、以上の来訪者登録モードＭ１または来訪者登録モードＭ２を経て、来訪者のＩＤコードを登録した後には、以下の来訪者認証モードＭ３、Ｍ４を実行する。
【００４２】
来訪者認証モードＭ３では、（４）読取手段Ａは、来訪者の所持する汎用記録媒体に記録されたＩＤコードを読み取り、読み取ったＩＤコードをＩＤ照合解錠装置４に送出する。（５）ＩＤ照合解錠装置４は、ＩＤ登録記憶装置１１をアクセスして、識別情報登録手段Ｂが備えているＩＤ登録テーブルの送出を要求する。（６）ＩＤ登録記憶装置１１は、ＩＤ照合解錠装置４の要求を受け付けて、識別情報登録手段Ｂが備えているＩＤ登録テーブルを、ＩＤ照合解錠装置４に送出する。（７）ＩＤ照合解錠装置４は、ＩＤ登録テーブルを参照して、読取手段Ａから送出されてきた来訪者のＩＤコードと一致するものがあるかどうか照合し、一致するものがあれば、そのＩＤコードを認証して、電気錠制御装置５に電気錠解錠信号を送出して、電気錠１０を解錠させる。（８）ＩＤ照合装置４は、（７）のステップの後には、来訪者のＩＤコードを認証して電気錠１０を解錠させたことを、識別情報無効処理手段Ｇ（１２）に通知するために、認証できたＩＤコードとともに解錠通知を送出する。（９）識別情報無効処理手段Ｇ（１２）は、ＩＤ照合解錠装置４から、認証できたＩＤコードとともに解錠通知が送出されてくる毎に、計数手段Ｅによって、そのＩＤコードを認証して解錠した解錠回数をカウントアップし、解錠回数が、予め設定された有効解錠回数に達したときには、ＩＤ登録記憶装置１１に対して、該当するＩＤコードを消去することを要求する消去要求信号を送出し、そのＩＤコードを、ＩＤ登録テーブルから消去させて、識別情報登録手段Ｂに登録されているそのＩＤコードを無効にする。
【００４３】
なお、ステップ（９）では、識別情報無効処理手段Ｇ（１２）は、解錠回数が、予め設定された有効解錠回数に達したときには、ＩＤ登録記憶装置１１に対して、該当するＩＤコードを消去させることによって、そのＩＤコードを無効にしているが、本発明ではこの例には限られず、（９ａ）ＩＤ照合解錠装置４に対して、解錠回数が有効解錠回数に達したＩＤコードを認証しないように、認証不可通知を送出して、ＩＤ照合解錠装置４が、読取手段Ａから該当するＩＤコードが送出されてきて、そのＩＤコードが、読取手段Ａから送出されてきた来訪者のＩＤコードと一致しても、電気錠制御装置５に対して電気錠解錠信号を送出しないようにすることでも、無効にできる。
【００４４】
そして、同一のＩＤコードを認証する有効解錠回数は、住戸数や階数、広さなどの集合住宅の規模に応じて設定することができ、例えば、共同玄関に設置された電気錠を解錠させてから、目的の住戸に荷物を配達し、帰路において、再度共同玄関に設置された電気錠を解錠させるためには、４回と設定できる。
【００４５】
一方、来訪者認証モードＭ４では、先述した（４）〜（７）のステップを実行する点は、先述した来訪者認証モードＭ３と共通するが、先述した（８）、（９）、および、（９ａ）のステップを実行せず、以下のステップ（１０）またはステップ（１０ａ）の制御処理を行う点に特徴がある。
【００４６】
すなわち、（１０）識別情報無効処理手段Ｇ（１２）は、先述した来訪者登録モードＭ２において、来訪者のＩＤコードがＩＤ登録記憶装置１１に記憶されたときには、ＩＤ登録記憶装置１１からＩＤ登録済み通知が送出されてきた時刻から経過した経過時間を計時手段Ｆによって計時を開始させているので、予め設定された認証有効時間に達したときには、ＩＤ登録記憶装置１１に対して、該当するＩＤコードを消去することを要求する消去要求信号を送出し、そのＩＤコードを、ＩＤ登録テーブルから消去させて、識別情報登録手段Ｂに登録されているそのＩＤコードを無効にする。
【００４７】
なお、ステップ（１０）では、識別情報無効処理手段Ｇ（１２）は、計時時間が、予め設定された認証有効時間に達したときには、ＩＤ登録記憶装置１１に対して、該当するＩＤコードを消去させることによって、そのＩＤコードを無効にしているが、本発明ではこの例には限られず、（１０ａ）ＩＤ照合解錠装置４に対して、計時時間が認証有効時間に達したＩＤコードを認証しないように、認証不可通知を送出して、ＩＤ照合解錠装置４が、読取手段Ａから該当するＩＤコードが送出されてきて、そのＩＤコードを照合できても、そのＩＤコードを認証しないようにして、無効にすることもできる。
そして、同一のＩＤコードを認証する認証有効時間は、住戸数や階数など集合住宅の規模に応じて設定でき、例えば、共同玄関に設置されている電気錠を解錠させて、目的の住戸に荷物を配達してから、帰路において、再度共同玄関側の電気錠を解錠させるまでの時間を１０分と見積もって設定できる。
【００４８】
図２は、上記の電気錠制御システムＳ１を組み込んで構成された電気錠制御機能付きインターホンシステムＳ２の構成の一例を示すシステム系統図である。
【００４９】
このような電気錠制御機能付きインターホンシステムＳ２には、複数の住戸を設けており、各住戸内には、インターホン親機１が設置されており、制御線、通話線、映像線で構成された伝送ラインＬ１を通じて、住戸外に設置されているドアホン子器２が接続されている。
【００５０】
インターホン親機１は、ドアホン子器２から呼出を受け、応答したときには、両者の間で、伝送ラインＬ１を通じた通話路が形成されて通話可能となる。
【００５１】
更に、インターホン親機１は、制御線、通話線、映像線で構成された伝送ラインＬ１を通じて、分岐器６に接続されている。分岐器６は、映像制御盤７から導出された伝送ラインＬ１を分岐させて、各住戸のインターホン親機１を接続するために設けられている。
【００５２】
映像制御盤７は、制御線、通話線で構成された伝送ラインＬ２を通じて接続された警報監視盤８による制御により作動して、ロビーインターホン９に内蔵されたカメラにより撮影され、映像線で構成された伝送ラインＬ３を通じて送出されてきた来客映像の映像信号を、ノイズを除去しながら、目的の住戸のインターホン親機１に送出する機能を少なくとも備えている。このとき、目的の住戸のインターホン親機１では、モニタ１５（図３参照）に来客映像が表示される。
【００５３】
警報監視盤８には、伝送ラインＬ２を通じて映像制御盤７、ロビーインターホン９が接続されている。
【００５４】
このような警報監視盤８は、ロビーインターホン９から、伝送ラインＬ２を通じて、住戸番号を含んだ呼出信号を受信したときには、伝送ラインＬ２，伝送ラインＬ１を通じて、目的の住戸のインターホン親機１に対して呼出信号を送出して、その住戸のインターホン親機１により呼出処理を行わせる。
【００５５】
これとともに、警報監視盤８は、伝送ラインＬ２を通じて制御信号を送出して、映像制御盤７を作動させるとともに、伝送ラインＬ２を通じて制御信号を送出して、ロビーインターホン９に内蔵されているカメラ９３（図５参照）を作動させて、来客映像を撮影させ、撮影された来客映像を映像信号として、伝送ラインＬ３を通じて映像制御盤７に送出させる。
【００５６】
また、このような警報監視盤８は、呼出処理を行わせた住戸のインターホン親機１が応答操作を受け付けたときには、伝送ラインＬ１、伝送ラインＬ２を通じて、応答信号を受信して、ロビーインターホン９と、応答操作を受け付けた住戸のインターホン親機１との間の通話路を、伝送ラインＬ１、伝送ラインＬ２によって形成する。
【００５７】
更に、警報監視盤８は、ロビーインターホン９と通話中のインターホン親機１が解錠操作を受け付けたときには、そのインターホン親機１から解錠許可信号が伝送ラインＬ１、伝送ラインＬ２を通じて送出されるので、ロビーインターホン９に対して、解錠許可信号を中継送信する。すると、解錠許可信号を中継送信されたロビーインターホン９は、制御線で構成された伝送ラインＬ４を通じて、電気錠１０に対して電気錠駆動信号を送出して、電気錠１０を解錠させる。
【００５８】
このような構成の電気錠制御機能付きインターホンシステムＳ２では、警報監視盤８には、ＩＤ登録記憶装置１１と、識別情報無効処理手段Ｇ（１２）とが備えられている。なお、これらは、警報監視盤８に内蔵されるのではなく、警報監視盤８に外付けされた構成であってもよい。
【００５９】
また、ロビーインターホン９には、読取手段Ａ、来訪者登録モード実行手段Ｃ、および、電気錠解錠手段Ｄが備えられている。なお、これらも、ロビーインターホン９に内蔵されるのではなく、ロビーインターホン９に外付けされた構成であってもよい。
【００６０】
図３は、本発明の電気錠制御機能付きインターホンシステムＳ２で用いられるインターホン親機１とドアホン子器２の基本構成の一例を示すブロック図である。
【００６１】
インターホン親機１は、少なくとも制御部１３、制御線、通話線、映像線で構成された伝送ラインＬ１を通じて各種信号を伝送するための伝送送受信部１４、ドアホン子器２やロビーインターホン９からの映像を映し出し、液晶表示器等で構成されたモニタ１５、伝送ラインＬ１、Ｌ３を通じて入力された映像信号を制御し、モニタ１５に映像信号を出力して表示させる映像処理部１６、伝送ラインＬ１、Ｌ３を通じてドアホン子器２やロビーインターホン９、警報監視盤８との相互通話ができるよう制御をする通話部１７、各種操作キー等で構成された操作部１８、制御部１３による制御を行うための各種プログラム等が記憶された記憶部１９を備えている。
【００６２】
通話部１７には音声を入出力するマイクロホンＭＩＣ及びスピーカＳＰが接続されている。そして、インターホン親機１は、インタフェース２０には、伝送ラインＬ１を通じてドアホン子器２が接続されている。
【００６３】
ドアホン子器２は、少なくとも制御部２１、伝送ラインＬ１を通じて各種信号の伝送をするためのインタフェース２２、伝送ラインＬ１を通じてインターホン親機１との相互通話ができるよう制御をする通話部２３、ドアホン子器２の少なくとも前方を撮影するカメラ２４、カメラ２４で撮影した映像を処理する映像処理部２５、インターホン親機１を呼び出すために操作する呼出ボタンなどを備えている操作部２６を備えている。
【００６４】
図４は、本発明の電気錠制御機能付きインターホンシステムＳ２で用いられる警報監視盤８の基本構成の一例を示すブロック図である。
【００６５】
このような警報監視盤８は、少なくとも以下の構成要素を制御する制御部８０と、インターホン親機１の住戸番号を入力するためのキー等を有する操作部８１、伝送ラインＬ２を通じて各種信号を伝送するための伝送送受信部８２、制御部８０による制御を行うための各種プログラムなどを記憶した記憶部８３、インターホン親機１における異常発生を報知するための警報音や警報メッセージを生成してスピーカ（不図示）から送出する警報音出力部８４、操作部８１で指定された住戸番号等を表示する表示部８５、通話部８６を備えている。
【００６６】
このような構成の警報監視盤８では、先述した識別情報登録手段Ｂは、一例として、記憶部８３に含まれているＲＡＭなどの書き込み可能な記憶媒体で構成することができ、先述したＩＤ登録記憶装置１１は、一例として、制御部８０、記憶部８３で構成することができる。
【００６７】
また、先述した識別情報無効処理手段Ｇ（１２）は、一例として、制御部８０で構成することができる。更に、先述した計数手段Ｅは、一例として、公知のカウンタで構成することができ、先述した計時手段Ｆは、一例として、公知のタイマで構成することができる。
【００６８】
図５は、本発明の電気錠制御機能付きインターホンシステムＳ２で用いられるロビーインターホン９の基本構成の一例を示すブロック図である。
【００６９】
このようなロビーインターホン９は、少なくとも、制御部９０、伝送ラインＬ２、伝送ラインＬ３を通じて各種信号の伝送をするための伝送送受信部９１、住戸番号を指定するための番号キーや呼出釦を有する操作部９２、来客者を撮影するカメラ９３、カメラ９３での撮影によって形成された映像信号を制御する映像処理部９４と、呼出先のインターホン親機１若しくは警報監視盤８との間でマイクＭＩＣとスピーカＳＰを使用したハンズフリー通話をするための通話部９５、制御部９０による制御を行うための各種プログラムなどを記憶した記憶部９６、操作部９２で指定された住戸番号等を表示する表示部９７を備えている。
【００７０】
このような構成のロビーインターホン９は、来訪者登録モード実行手段Ｃは、一例として制御部９０で構成することができ、更に、読取手段Ａ、電気錠解錠手段Ｄを備えており、電気錠解錠手段Ｄには、図示するように、伝送ラインＬ４を通じて電気錠１０が接続されている。
【００７１】
以下、このような構成の電気錠制御機能付きインターホンシステムの制御処理について説明する。図６は、本発明の電気錠制御機能付きインターホンシステムＳ２の来訪者登録モードＭ１の制御処理の一例を示すフローチャートである（１００〜１１７）。
【００７２】
ロビーインターホン９では、来訪者が、住戸番号を入力して呼出ボタンを操作するといった公知の呼出操作をしたときには（１００）、目的の住戸に呼出信号を送出して、その住戸のインターホン親機１から呼出動作を行わせて（１０１，１０２）、ロビーインターホン９自身では、カメラ９３による来訪者の撮影を開始して、来訪者の映像を映像信号としてインターホン親機１に送出し、インターホン親機１において来訪者の映像を表示させる（１０３，１０４）。
【００７３】
そして、目的の住戸のインターホン親機１が、住人による応答操作を受け付けると（１０５，１０６）、ロビーインターホン９と、その住戸のインターホン親機１との間で通話路が形成される（１０７，１０８）。
【００７４】
ついで、インターホン親機１は、来訪者の映像を見ながら通話を行った住人による来訪者登録モード許可操作を受け付けると（１０９）、そのインターホン親機１は来訪者登録モード許可をロビーインターホン９に通知する（１１０）。
【００７５】
ロビーインターホン９は、インターホン親機１から来訪者登録モード許可を受け付けたときには（１１１）、来訪者登録モード実行手段Ｃにより来訪者登録モードを開始して、例えば、「読取装置にカードをかざして下さい」といったメッセージをスピーカＳＰにより鳴動させるか、表示部９７により表示させる（１１２，１１３）。
【００７６】
そして、来訪者により汎用記録媒体が、ＩＤ読取装置３にかざされると、ＩＤ読取装置３は、汎用記録媒体から来訪者のＩＤコードを読み取って（１１４）、読み取ったＩＤコードを警報監視盤８側に備えられているＩＤ登録記憶装置１１に送出する（１１５）。警報監視盤８側に備えられているＩＤ登録記憶装置１１は、ロビーインターホン９側に備えられているＩＤ読取装置３から送出されてきたＩＤコードを受信して（１１６）、受信したＩＤコードを識別情報登録手段Ｂに含まれているＩＤ登録テーブルに登録する（１１７）。
【００７７】
図７は、本発明の電気錠制御機能付きインターホンシステムＳ２の来訪者登録モードＭ２の制御処理の一例を示すフローチャートである（２００〜２２０）。なお、ロビーインターホン９とインターホン親機１の制御処理は、図６で示したステップ１００〜１１５の制御処理と同じであるので、説明を省略し、ここでは、警報監視盤８側の制御処理のみを説明する。
【００７８】
すなわち、警報監視盤８側では、ロビーインターホン９側のＩＤ読取装置３から、汎用記録媒体に記録された来訪者のＩＤコードを受信したときには（２１６）、識別情報登録手段Ｂに含まれえているＩＤ登録テーブルに登録させ（２１７）、識別情報無効処理手段Ｇ（１２）に対して、登録済みのＩＤコードとともにＩＤ登録済み通知を送出する（２１８）。そのとき、識別情報無効処理手段Ｇ（１２）は、該ＩＤコード別に、ＩＤ登録済み通知を受信した時間をＩＤ登録時刻として記憶し（２１９）、その時刻から経過した経過時間の計時を開始する（２２０）。
【００７９】
図８は、先述した来訪者登録モードＭ１、Ｍ２により来訪者のＩＤコードが登録された後の来訪者認証制御処理の一例（来訪者認証モードＭ３）を示すフローチャートである（３００〜３１７）。
【００８０】
ＩＤ読取装置３は、来訪者の汎用記録媒体に記録された来訪者のＩＤコードを読み取ったときには（３００）、読み取ったＩＤコードをＩＤ照合解錠装置４に送出する（３０１）。
【００８１】
ＩＤ照合解錠装置４は、ＩＤ読取装置３から送出されてきたＩＤコードを受信したときには（３０２）、ＩＤ登録記憶装置１１に対して、ＩＤ登録テーブルの送出を要求する（３０３）。ＩＤ登録記憶装置１１は、ＩＤ登録テーブルの送出を要求されたときには（３０４）、識別情報登録手段Ｂに含まれているＩＤ登録テーブルを、ＩＤ照合解錠装置４に送出する（３０５）。
【００８２】
ＩＤ照合解錠装置４は、ＩＤ登録記憶装置１１から送出されたＩＤ登録テーブルを受信したときには、受信したＩＤ登録テーブルを参照して、ＩＤ読取装置３から送出されてきたＩＤコードと一致するものがあるかどうか照合し（３０６，３０７）、一致するものがなければ公知のエラー報知を行うが（３０８，３０９）、一致するものがあれば、電気錠制御装置５に対して、電気錠解錠信号を送出して、電気錠１０を解錠させ（３０８，３１０）、その後、解錠を認めたＩＤコードとともに解錠通知をＩＤ無効化処理装置Ｇ（１２）に送出する（３１１）。
【００８３】
ＩＤ無効処理装置Ｇ（１２）は、ＩＤ照合解錠装置４が解錠を認めたＩＤとともに解錠通知が送出されてきたときには（３１２）、計数手段Ｅによりカウント値を１インクリメントする（３１３）。カウント値が予め設定された有効解錠回数（ｎ）に達したときには、ＩＤ登録記憶装置１１に対して、カウント値が有効解錠回数（ｎ）に達したＩＤコードの消去を要求する（３１４，３１５）。
【００８４】
ＩＤ登録記憶装置１１は、ＩＤ無効処理装置Ｇ（１２）から、カウント値が有効解錠回数（ｎ）に達したＩＤコードの消去を要求されたときには、そのＩＤコードを、ＩＤ登録テーブルから消去することによって、そのＩＤコードを無効にする（３１６，３１７）。
【００８５】
図９は、先述した来訪者登録モードＭ１，Ｍ２により来訪者のＩＤコードが登録された後の来訪者認証制御処理の他例（来訪者認証モードＭ４）を示すフローチャートである（４００〜４１５）。
なお、ＩＤ読取装置３の制御処理は、図８のステップ３００，３０１と同じである。また、ＩＤ照合解錠装置４の制御処理は、図８のステップ３１１「解錠通知を送出」をしない点以外、ステップ３０２〜３１０の制御処理と同じである。
したがって、警報監視盤８の制御処理のみ、以下に説明する。すなわち、警報監視盤８のＩＤ無効処理装置Ｇ（１２）は、図７のステップ２１６〜２２０に示す制御処理を行って、ＩＤコード別に、ＩＤ登録記憶装置１１の識別情報登録手段Ｂに含まれているＩＤ登録テーブルに登録されてから経過した経過時間を、計時手段Ｆにより計時することで、監視している。
【００８６】
そして、計時手段Ｆによる計時時間が、予め設定された認証有効時間に達したときには（４１１）、認証有効時間に達したＩＤコードを含んだＩＤコードの消去要求を、ＩＤ登録記憶装置１１に対して行い（４１２）、ＩＤ登録記憶装置は、ＩＤ無効処理装置Ｇ（１２）から、認証有効時間に達したＩＤコードを含んだＩＤコードの消去要求を受けたときには（４１３）、そのＩＤコードを、ＩＤ登録テーブルから消去することによって、そのＩＤコードを無効にする（４１４）。
【００８７】
電気錠制御機能付きインターホンシステムＳ２によれば、来訪者登録モードを実行して、来訪者によって所有され、来訪者のＩＤコードが記録された汎用記録媒体を、ロビーインターホン９側の読取手段Ａで読み取らせ、読み取らせた来訪者の識別情報を、警報監視盤８側の識別情報登録手段Ｂに登録した後には、識別情報無効処理手段Ｇ（１２）は、来訪者別に、電気錠解錠手段Ｄによって解錠される毎に、解錠回数を計数しておき、予め設定された有効解錠回数に達したときには、その来訪者の識別情報を無効にする。
【００８８】
または、識別情報無効処理手段Ｇ（１２）は、来訪者別に、来訪者のＩＤコードが識別情報登録手段Ｂに登録されてから経過した経過時間が、予め設定された認証有効時間に達したときにも、その来訪者の識別情報を無効にする。
【００８９】
そのため、来訪者別に、予め解錠専用の記録媒体を製造、配布することなく、来訪者が通常所有していると考えられる汎用記録媒体を用いて、有効解錠回数に達するまで、または、来訪者の識別情報を登録してから認証有効時間に達するまでは、何度でも同一の汎用記録媒体を使用して電気錠を解錠させることができるので、セキュリティを確保させながら、来訪者、住人双方にとって使い勝手がよく、コスト、資源の無駄を生じさせない電気錠制御機能付きインターホンシステムを提供できる。
【００９０】
更に、電気錠制御機能付きインターホンシステムＳ２によれば、来訪者のＩＤコードは、警報監視盤８側の識別情報登録手段Ｂで一元的に登録されているために、後述する電気錠制御機能付きインターホンシステムのように、電気錠制御ユニット単位で来訪者のＩＤコードを登録する場合と比べると、来訪者のＩＤコードを一元的に登録するための識別情報登録手段Ｂを１箇所に設ければよいので、低コストな電気錠制御機能付きインターホンシステムを提供できる。
図１０は、本発明の要部をなす電気錠制御システムの他例の概略構成を示すシステム系統図である。なお、図１の構成と同一の構成要素については、同一符号を付して説明を省略する。
【００９１】
この電気錠制御システムＳ３では、図示するように、読取手段Ａ、電気錠解錠手段Ｄで構成されている第１の電気錠制御ユニットＵ１と、第１の電気錠制御ユニットＵ１の構成に、来訪者登録モード実行手段Ｃを更に備えて構成されている第２の電気錠制御ユニットＵ２とを備えて構成されている。
【００９２】
そして、第１、第２の電気錠制御ユニットＵ１，Ｕ２は、制御線、通話線で構成された伝送ラインＬ２を通じて、ＩＤ登録記憶装置１１、識別情報無効処理手段Ｇ（１２）に接続されている。詳細に説明すると、第１、第２の電気錠制御ユニットＵ１，Ｕ２では、読取手段Ａは、伝送ラインＬ２を通じて、ＩＤ登録記憶装置１１に接続されており、ＩＤ照合解錠装置４は、伝送ラインＬ２を通じて、識別情報無効処理手段Ｇ（１２）に接続されている。
【００９３】
なお、第１，第２の電気錠制御ユニットＵ１，Ｕ２は、制御線、通話線で構成された伝送ラインＬ２を通じて、ＩＤ登録記憶装置１１、識別情報無効処理手段Ｇ（１２）に接続されているが、制御線のみで構成された伝送ラインＬ４（図２参照）を通じて接続してもよい。要は、制御信号を送受信できるような伝送ラインを通じて接続すればよい。
【００９４】
そして、ＩＤ照合解錠装置４に備えられる識別情報登録手段Ｂは、例えば、ＩＤ照合解錠制御装置４に、制御部、書き込み可能な記憶部（ともに不図示）を組み込んで構成できる。
【００９５】
このような構成の電気錠制御システムＳ３では、読取手段Ａ、ＩＤ登録記憶装置１１、来訪者登録モード実行手段Ｃ、電気錠解錠手段Ｄ、および、識別情報無効処理手段Ｇ（１２）が、連携した制御処理を行うことによって、来訪者登録モードＭ１、Ｍ２と、来訪者認証モードＭ３、Ｍ４とを実行できる。
【００９６】
そして、第１の電気錠制御ユニットＵ１は、伝送ラインＬ２を通じて、来訪者の識別情報が送出されてきたときには、送出されてきた来訪者の識別情報を識別情報登録手段Ｂに登録する機能を備えている。
一方、第２の電気錠制御ユニットＵ２は、来訪者登録モード実行手段Ｃによって識別情報登録手段Ｂに登録された来訪者の識別情報を伝送ラインＬ２に送出する機能と、伝送ラインＬ２を通じて、来訪者の識別情報が送出されてきたときには、送出されてきた来訪者の識別情報を識別情報登録手段Ｂに登録する機能と、を備えている。
【００９７】
このような構成の電気錠制御システムＳ３では、第２の電気錠制御ユニットＵ２は、図１０に示す（１１）〜（１３）のステップを経て、来訪者のＩＤコードを登録する来訪者登録モードＭ５を実行する。すなわち、（１１）来訪者登録モード実行手段Ｃは、読取手段Ａに制御信号を送出して来訪者登録モードを実行させる。（１２）読取手段Ａは、来訪者登録モードを実行して、来訪者の所持する汎用記録媒体に記録された来訪者のＩＤコードを読み取り、読み取った来訪者のＩＤコードをＩＤ照合解錠装置４に送出して、識別情報登録手段Ｂに登録させる。（１３）その後、ＩＤ照合解錠装置４は、識別情報登録手段Ｂに登録したＩＤコードを、伝送ラインＬ２に送出する。このとき、第１の電気錠制御ユニットＵ１では、ＩＤ照合解錠装置４は、伝送ラインＬ２を通じて送出されてきたＩＤコードを識別情報登録手段Ｂに登録する。
【００９８】
ここで、ステップ（１１）において、第２の電気錠制御ユニットＵ２は、他のすべての電気錠制御ユニットＵ１，Ｕ２に対して、ＩＤコードを登録させてもよいし、システムを構成する電気錠制御ユニットＵ１，Ｕ２のうち、いずれかの電気錠制御ユニットＵ１，Ｕ２に対して、ＩＤコードを登録させてもよい。
【００９９】
そして、いずれかの電気錠制御ユニットＵ１，Ｕ２に対して、ＩＤコードを登録させるためには、ＩＤコードを登録させたい電気錠制御ユニットＵ１，Ｕ２が備えているＩＤ照合解錠装置４に割り付けられている端末アドレス、登録させるべきＩＤコードを少なくとも含む制御信号を、伝送ラインＬ２を通じて送出し、指定された端末アドレスが割り付けられたＩＤ照合解錠装置４に対して、自身が指定されていることを認識させて、ＩＤコードを登録させればよい。
【０１００】
一方、電気錠制御システムＳ３は、（１１）〜（１４）のステップを経て、先述した来訪者登録モードＭ５とは異なる来訪者登録モードＭ６を実行する。すなわち、第２の電気錠制御ユニットＵ２では、先述した（１１）〜（１３）のステップを経た後には、（１４）ＩＤ照合解錠装置４は、読取手段Ａから送出された来訪者のＩＤコードを登録したことを通知するためのＩＤ登録済み通知を、登録済みのＩＤコードとともに、識別情報無効処理手段Ｇ（１２）に送出する。識別情報無効処理手段Ｇ（１２）は、ＩＤ照合解錠装置４から、登録済みのＩＤコードとともにＩＤ登録済み通知が送出されてきたときには、ＩＤ登録済み通知が送出されてきた時刻を記憶し、計時手段Ｆによって、その後経過した経過時間の計時を開始させる。
【０１０１】
そして、電気錠制御システムＳ３は、以上の来訪者登録モードＭ５または来訪者登録モードＭ６を経て、来訪者のＩＤコードを登録した後には、以下の来訪者認証モードＭ７または来訪者認証モードＭ８を実行する。
【０１０２】
来訪者認証モードＭ７では、電気錠制御ユニットＵ１，Ｕ２の各々では、（１５）読取手段Ａは、来訪者の所持する汎用記録媒体に記録されたＩＤコードを読み取り、読み取ったＩＤコードをＩＤ照合解錠装置４に送出する。（１６）ＩＤ照合解錠装置４は、自身の識別情報登録手段Ｂが備えているＩＤ登録テーブルを参照して、読取手段Ａから送出されてきた来訪者のＩＤコードと一致するものがあるかどうか照合し、一致するものがあれば、そのＩＤコードを認証して、電気錠制御装置５に電気錠解錠信号を送出して、電気錠１０を解錠させる。（１７）その後、ＩＤ照合装置４は、来訪者のＩＤコードを認証して電気錠１０を解錠させたことを、識別情報無効処理手段Ｇ（１２）に通知するために、認証できたＩＤコードとともに解錠通知を送出する。
【０１０３】
そして、（１８）識別情報無効処理手段Ｇ（１２）は、ＩＤ照合解錠装置４から、認証できたＩＤコードとともに解錠通知が送出されてくる毎に、計数手段Ｅによって、そのＩＤコードを認証して解錠した解錠回数をカウントアップし、解錠回数が、予め設定された有効解錠回数に達したときには、すべての電気錠制御ユニットＵ１，Ｕ２に備えられているＩＤ照合解錠装置４に対して、該当するＩＤコードを消去することを要求する消去要求信号を送出し、そのＩＤコードを、ＩＤ登録テーブルから消去させて、識別情報登録手段Ｂに登録されているそのＩＤコードを無効にする。
【０１０４】
なお、ステップ（１８）では、識別情報無効処理手段Ｇ（１２）は、解錠回数が、予め設定された有効解錠回数に達したときには、ＩＤ照合解錠装置４に対して、該当するＩＤコードを消去させることによって、そのＩＤコードを無効にしているが、本発明ではこの例には限られず、（１８ａ）ＩＤ照合解錠装置４に対して、解錠回数が有効解錠回数に達したＩＤコードを認証しないように、認証不可通知を送出して、ＩＤ照合解錠装置４が、読取手段Ａから該当するＩＤコードが送出されてきて、そのＩＤコードが、読取手段Ａから送出されてきた来訪者のＩＤコードと一致しても、電気錠制御装置５に対して電気錠解錠信号を送出しないようにすることでも、無効にできる。
そして、同一のＩＤコードを認証する有効解錠回数は、棟数、住戸数、階数など集合住宅の規模に応じて設定でき、例えば、共同玄関側の電気錠、エレベータホール錠を順次解錠させた後、目的の住戸に荷物を配達した帰路において、再度、エレベータホール錠、共同玄関側の電気錠を順次解錠させるため、４回に設定できる。
【０１０５】
一方、来訪者認証モードＭ８では、先述した（１５）〜（１８,１８ａ）のステップを実行する点は、先述した来訪者認証モードＭ７と共通するが、先述した（１７）、（１８）、および、（１８ａ）のステップを実行せず、以下のステップ（１９）またはステップ（１９ａ）の制御処理を行う点に特徴がある。
【０１０６】
すなわち、電気錠制御ユニットＵ１，Ｕ２の各々では、（１９）識別情報無効処理手段Ｇ（１２）は、先述した来訪者登録モードＭ６において、来訪者のＩＤコードがＩＤ照合解錠装置４に記憶されたときには、ＩＤ照合解錠装置４からＩＤ登録済み通知が送出されてきた時刻から経過した経過時間を計時手段Ｆによって計時を開始させているので、予め設定された認証有効時間に達したときには、すべての電気錠制御ユニットＵ１，Ｕ２が備えているＩＤ照合解錠装置４に対して、該当するＩＤコードを消去することを要求する消去要求信号を送出し、そのＩＤコードを、ＩＤ登録テーブルから消去させて、識別情報登録手段Ｂに登録されているそのＩＤコードを無効にする。
【０１０７】
なお、ステップ（１９）では、識別情報無効処理手段Ｇ（１２）は、計時時間が、予め設定された認証有効時間に達したときには、ＩＤ照合解錠装置４に対して、該当するＩＤコードを消去させることによって、そのＩＤコードを無効にしているが、本発明ではこの例には限られず、（１９ａ）ＩＤ照合解錠装置４に対して、計時時間が認証有効時間に達したＩＤコードを認証しないように、認証不可通知を送出して、ＩＤ照合解錠装置４が、読取手段Ａから該当するＩＤコードが送出されてきて、そのＩＤコードを照合できても、そのＩＤコードを認証しないようにして、無効にすることもできる。
そして、同一のＩＤコードを認証する認証有効時間は、棟数、住戸数、階数など集合住宅の規模に応じて設定でき、例えば、共同玄関側の電気錠を解錠させ、目的の住戸に荷物を配達し、帰路において、再度共同玄関側の電気錠を順次解錠させるのに要する時間を１０分と見積もって設定できる。
【０１０８】
図１３は、電気錠制御システムＳ３を組み込んで構成された電気錠制御機能付きインターホンシステムＳ４の構成の一例を示すシステム系統図である。なお、先述した電気錠制御機能付きインターホンシステムＳ２（図２参照）と同一の構成要素については、同一符号を付して説明を省略する。
【０１０９】
このような電気錠制御機能付きインターホンシステムＳ４は、複数の棟を備える集合住宅において適用されており、それぞれの棟においては、各住戸毎にインターホン親機１、ドアホン子器２が設置されており、各住戸のインターホン親機１には、インタフェースＩ／Ｆ、伝送ラインＬ１を通じて、警報監視盤８が接続されている。
【０１１０】
また、各住戸のインターホン親機１には、映像制御盤７を介在させて、ロビーインターホン９が接続されており、各棟のロビーインターホン９は、読取手段Ａ、来訪者登録モード実行手段Ｃ、電気錠解錠手段Ｄを備えており、第２の電気錠制御ユニットＵ２が構成されている。
【０１１１】
そして、各棟のエレベータホールには、読取手段Ａ、電気錠解錠手段Ｄを備えたエレベータホール錠が構成されており、それぞれのエレベータホール錠によって、第１の電気錠制御ユニットＵ１が構成されている。
【０１１２】
このような電気錠制御機能付きインターホンシステムＳ４によれば、先述した電気錠制御機能付きインターホンシステムＳ２が発揮する効果に加えて、以下の効果を発揮することができる。
【０１１３】
すなわち、電気錠制御機能付きインターホンシステムＳ４によれば、先述したように、読取手段Ａ、識別情報登録手段Ｂを備えているＩＤ登録記憶装置１１、来訪者登録モード実行手段Ｃ、電気錠解錠手段Ｄが、連携して制御処理を行うことによって、来訪者登録モードＭ１または来訪者登録モードＭ２と、来訪者認証モードＭ３または来訪者認証モードＭ４とを実行できるので、先述した電気錠制御機能付きインターホンシステムＳ２が発揮する効果を奏することができる。
【０１１４】
また、電気錠制御機能付きインターホンシステムＳ４によれば、ロビーインターホンＵ２（９）側で、読取手段Ａに対し来訪者のＩＤコードを登録させれば、そのＩＤコードは、ロビーインターホンＵ２（９）だけでなく、エレベータホール錠Ｕ１にも送出されて登録されるので、ロビーインターホンＵ２（９）、エレベータホール錠Ｕ１は、自身に登録されている来訪者のＩＤコードを認証して電気錠１０を解錠させる。
【０１１５】
したがって、ロビーインターホンＵ２（９）、エレベータホール錠Ｕ１単位で、識別情報登録手段Ｂに登録されている来訪者のＩＤコードを基に認証することができるので、来訪者のＩＤコードを一元的に登録している構成と比べて、来訪者のＩＤコードを一元的に登録している識別情報登録手段Ｂにアクセスして、そこに登録されている来訪者のＩＤコードを送出してもらう必要がなく、認証動作を迅速に行うことができる。
【０１１６】
このような効果は、電気錠制御ユニットＵ１，Ｕ２を設けて入室を制限している棟が複数あるような大型の集合住宅や、入室制限箇所の多い大型ショッピングセンター、高級マンション、住居ブロック、店頭ブロックに分別された大型マンションなどにおいては、電気錠制御ユニットＵ１，Ｕ２が備えている電気錠解錠手段Ｄから、ＩＤコードが登録されている警報監視盤８までの信号伝送距離が長いため、特に、顕著である。
【０１１７】
なお、電気錠制御システムＳ３、電気錠制御機能付きインターホンシステムＳ４では、識別情報無効処理手段Ｇは、１箇所のみに設けられて、電気錠制御ユニットＵ１，Ｕ２の解錠回数、または、電気錠制御ユニットＵ１，Ｕ２に来訪者のＩＤコードが登録されてから経過した経過時間を、一括して管理しているが、本発明はこの例には限られず、電気錠制御ユニットＵ１，Ｕ２の各々は、識別情報無効処理手段Ｇが組み込まれた構成とされており、識別情報無効処理手段Ｇが、自らが組み込まれている電気錠制御ユニットＵ１，Ｕ２の解錠回数、または、経過時間を管理するといった、いわゆる分散管理するようにしてもよい。
【図面の簡単な説明】
【０１１８】
【図１】本発明の要部をなす電気錠制御システムの概略構成の一例を示すシステム系統図
【図２】本発明の電気錠制御機能付きインターホンシステムの構成の一例を示すシステム系統図
【図３】インターホン親機とドアホン子器の基本構成の一例を示すブロック図
【図４】警報監視盤の基本構成の一例を示すブロック図
【図５】ロビーインターホンの基本構成の一例を示すブロック図
【図６】本発明による電気錠制御機能付きインターホンシステムにおける来訪者登録モードの制御処理の一例を示すフローチャート
【図７】本発明による電気錠制御機能付きインターホンシステムにおける来訪者登録モードの制御処理の他例を示すフローチャート
【図８】本発明による電気錠制御機能付きインターホンシステムにおける来訪者認証制御処理の一例を示すフローチャート
【図９】本発明による電気錠制御機能付きインターホンシステムにおける来訪者認証制御処理の他例を示すフローチャート
【図１０】本発明の腰部をなす電気錠制御システムの概略構成の他例を示すシステム系統図
【図１１】本発明による電気錠制御機能付きインターホンシステムの構成の他例を示すシステム系統図
【符号の説明】
【０１１９】
１  インターホン親機
８  警報監視盤
９  ロビーインターホン
１０  電気錠
Ａ  読取手段
Ｂ  識別情報登録手段
Ｃ  来訪者登録モード実行手段
Ｄ  電気錠解錠手段
Ｅ  計数手段
Ｆ  計時手段
Ｇ（１２）  識別情報無効処理手段
Ｕ１  第１の電気錠制御ユニット
Ｕ２  第２の電気錠制御ユニット
Ｌ２  伝送ライン
Ｓ１，Ｓ３  電気錠制御システム
Ｓ２，Ｓ４  電気錠制御機能付きインターホンシステム
【図１】
0005033524.tif 000002
【図２】
0005033524.tif 000003
【図３】
0005033524.tif 000004
【図４】
0005033524.tif 000005
【図５】
0005033524.tif 000006
【図６】
0005033524.tif 000007
【図７】
0005033524.tif 000008
【図８】
0005033524.tif 000009
【図９】
0005033524.tif 000010
【図１０】
0005033524.tif 000011
【図１１】
0005033524.tif 000012